(57)【要約】【課題】  手ブレの抑制に伴う手間を省く工夫が図られた撮影装置を提供する。【解決手段】  被写体光を捉えることにより撮影を行う撮影装置において、筐体と、レリーズボタンを備えた頭部、および、頭部と筐体内部との間でレリーズボタンの押下操作を伝えるケーブルを有するケーブルレリーズとを具備し、筐体が、頭部を着脱自在に固定する固定部を備え、ケーブルレリーズが、頭部が固定部に固定された状態においてストラップを兼ねるものである。【選択図】        図１
2006301185.tif 000002
【特許請求の範囲】
【請求項１】
被写体光を捉えることにより撮影を行う撮影装置において、
筐体、および
レリーズボタンを有する頭部と、該レリーズボタンの押下操作を前記筐体内部に伝えるケーブルとを有するケーブルレリーズを備え、
前記筐体が、前記頭部を着脱自在に固定する固定部を備え、
前記ケーブルレリーズが、前記頭部が前記固定部に固定された状態においてストラップを兼ねるものであることを特徴とする撮影装置。
【請求項２】
前記ケーブルが、前記レリーズボタンの押下操作を伝える配線と、該配線を覆うカバーとを有し、前記配線は、前記カバー内で少なくとも一部が蛇行するだけの長さを有するものであることを特徴とする請求項１記載の撮影装置。
【発明の詳細な説明】
【技術分野】
【０００１】
本発明は、被写体光を捉えることにより撮影を行う撮影装置に関する。
【背景技術】
【０００２】
従来より、カメラの上面には、シャッタレリーズボタンが備えられており、写真撮影は、撮影者が撮影タイミングを見計らってこのレリーズボタンを押下することで行われている。
【０００３】
しかし、撮影者が写真撮影に慣れていない場合には、レリーズボタンの押下の際に力が入りすぎてカメラが動いてしまうという、いわゆる手ブレが発生することがある。
【０００４】
そこで、レリーズボタンの押下の際の手ぶれを防止するために、レリーズボタンがカメラに対して着脱自在にされているものが提案されている（例えば、特許文献１）。
【０００５】
この提案では、レリーズボタンの押下操作をカメラ内部に配備されたシャッタ機構に伝える配線を引き出すことによりレリーズボタンをカメラから離隔し、その状態でレリーズボタンの押下操作を行うことで手ブレを抑制している。
【特許文献１】特開２００４−７７７４５号公報
【発明の開示】
【発明が解決しようとする課題】
【０００６】
ところが、これでは、レリーズボタンを元の位置に戻す際に、引き出した配線をカメラ内部に押し込まねばならず手間がかかるという問題がある。
【０００７】
尚、上記問題は、カメラに限らず、カメラ付きの携帯電話など、レリーズボタンの押下操作により手ブレが発生するおそれがある撮影装置であれば同様に起こりうる問題である。
【０００８】
本発明は、上記事情に鑑み、手ブレの抑制に伴う手間を省く工夫が図られた撮影装置を提供することを目的とする。
【課題を解決するための手段】
【０００９】
上記目的を達成するための本発明の撮影装置は、
被写体光を捉えることにより撮影を行う撮影装置において、
筐体、および
レリーズボタンを有する頭部と、このレリーズボタンの押下操作を上記筐体内部に伝えるケーブルとを有するケーブルレリーズを備え、
上記筐体が、上記頭部を着脱自在に固定する固定部を備え、
上記ケーブルレリーズが、上記頭部が上記固定部に固定された状態においてストラップを兼ねるものであることを特徴とする。
【００１０】
本発明の撮影装置では、レリーズボタンを備えた頭部が筐体の固定部に対して着脱自在になっていることから、この頭部を固定部から取外すことでレリーズボタンの押下操作による手ブレを抑制することができ、また、ケーブルレリーズは、頭部を筐体の固定部に固定した状態でストラップを兼ねていることから、頭部を筐体の固定部に固定する際に、ケーブルを筐体内に収容する必要がない。したがって、本発明の撮影装置によれば、手ブレの抑制に伴う手間を省くことができる。
【００１１】
ここで、上記ケーブルが、上記レリーズボタンの押下操作を伝える配線と、この配線を覆うカバーとを有し、上記配線は、上記カバー内で少なくとも一部が蛇行するだけの長さを有するものであることが好ましい。
【００１２】
このようにすると、ケーブルレリーズがストラップとして用いられている際の荷重が配線に直接作用することによる断線を予防することができる。
【発明の効果】
【００１３】
本発明の撮影装置によれば、手ぶれの抑制に伴う手間を省くことができる。
【発明を実施するための最良の形態】
【００１４】
以下、本発明の実施形態について説明する。
【００１５】
図１は、本発明の撮影装置の一実施形態であるカメラの外観斜視図である。
【００１６】
図１に示すカメラ１は、単焦点のコンパクトカメラである。
【００１７】
図１に示すカメラ１の筐体１０の前面中央には、レンズ１１が嵌め込まれており、そのレンズ１１の斜め上には、フラッシュ光が通過するフラッシュ窓１５が設けられている。
【００１８】
また、このカメラ１の筐体１０の上面には、レリーズボタン１２１を有するレリーズユニット１２が設けられている。
【００１９】
レリーズユニット１２は、レリーズボタン１２１、レリーズボタン１２１を支持する支持体１２２、および、一端が支持体１２２に繋がれ他端が筐体１０に繋がれた、内部に配線が挿通されたパイプカバー１２３を構成要素としている。
【００２０】
このカメラ１では、レリーズボタン１２１を支持する支持体１２２が筐体１０に対して着脱自在になっており、この支持体１２２が筐体１０の上面に取りつけられている状態においては、パイプカバー１２３はストラップの役目を兼ねている。尚、図１には、詳しくは後述するが、筐体１０から支持体１２２を取り外す際に操作するレバー１３１が示されている。
【００２１】
図２は、撮影者によってレリーズユニットの支持体が筐体から外された様子を示す図である。
【００２２】
図２には、筐体１０の上面に備えられている支持体取付部１３が示されており、この支持体取付ユニット１３は、筐体１０の上面に穿設された孔に落とし込まれたフレーム１３２と、このフレーム１３２に嵌め込まれる支持体１２２をこのフレーム１３２から取り外す際に操作するレバー１３１とで構成されている。尚、このフレーム１３２には、凸部１３２ａが備えられており、この凸部１３２ａは、支持体に備えられている溝１２２ａ（図３参照）と嵌合するようになっており、これらを嵌め合わせることで支持体１２２は、支持体取付ユニット１３に対して正しい向きに取り付けられるようになっている。尚、図２には、パイプカバー１２３の内部に挿通されている配線１４ａが筐体１０の内部に配備されたシャッタ装置１４に接続されている様子が示されている。
【００２３】
図３は、支持体および支持体取付ユニットの外観斜視図である。
【００２４】
図３には、支持体１２２の下部にＬ字型の切欠１２２ｂが備えられている様子が示されており、図３（ａ）には、この切欠１２２ｂを形成する壁のうちの壁１２２１ｂ側にレバー１３１が寄せられていることで、レバー１３１と支持体１２２とが係合して支持体１２２が支持体取付ユニット１３に取りつけられた状態が示されている。尚、このレバー１３１には、不図示のバネが取りつけられており、図３（ａ）に示す矢印Ａの向きの付勢力が働いている。このため、レバー１３１が、一旦、上述の壁１２２１ｂ側に寄せられると、撮影者などが、このレバー１３１を、矢印Ａの向きの付勢力に抗しながら図３（ｂ）に示す矢印Ｂの向きに動かし、壁１２２１ｂ側とは反対側の壁１２２２ｂ側にレバー１３１を寄せない限り、この支持体１２２はこの支持体取付ユニット１３から外れないようになっている。
【００２５】
図３（ｂ）には、壁１２２１ｂ側とは反対側の壁１２２２ｂ側にレバー１３１が寄せられたことでレバー１３１と支持体１２２との係合が解除された様子が示されており、レバー１３１を図３（ｂ）に示す状態のまま、支持体１２２を持ち上げることでこの支持体１２２を支持体取付ユニット１３から取り外すことができる。
【００２６】
図４は、パイプカバーの両端の処理を示す断面図である。
【００２７】
このカメラ１では、一端が筐体１０に取りつけられ他端が支持体１２２に取りつけられているパイプカバー１２３が、支持体１２２が支持体取付ユニット１３に取り付けられた状態では、シャッタ装置１４の配線１４ａを覆うカバーであると共にストラップとしての機能を有している。
【００２８】
以下、このパイプカバー１２３が、筐体１０および支持体１２２に対して、ストラップとしての使用に耐えうるように如何に取り付けられているかについて説明する。
【００２９】
図４（ａ）には、筐体１０に取りつけられている方のパイプカバー１２３の端部が示されており、このパイプカバー１２３の端部には、クッション部１２３ａおよびネジ部１２３ｂが備えられている。
【００３０】
筐体１０へのパイプカバー１２３の取り付けは、このパイプカバー１２３の端部に備えられているネジ部１２３ｂを筐体１０に備えられているネジ溝部１０ａに、クッション部１２３ａが筐体１０に当接するまで螺合させて行われている。このクッション部１２３ａは、上記螺合の際のストッパとしての役目と、筐体１０から離隔して行うレリーズボタン１２１の押下動作によるパイプカバー１２３の変位が筐体１０に伝わるのを緩和する役目とを担っている。
【００３１】
図４（ｂ）には、支持体１２２に取りつけられた方のパイプカバー１２３の端部が示されており、支持体１２２へのパイプカバー１２３の取り付けは、図４（ａ）についてした説明と同じ説明となるので省略する。
【００３２】
以上説明したように、パイプカバー１２３が強固に支持体１２２および筐体１０に取りつけられ、また、支持体１２２が図３に示す機構によって確実に支持体取付ユニット１３に取りつけられることで、配線１４ａを覆うパイプカバー１２３が、ストラップとしての役目も果たすことができる。
【００３３】
また、図４には、配線１４ａが、パイプカバー内で蛇行している様子が示されており、配線１４ａがこのようにパイプカバー内で蛇行する程度の長さを有していることで、力が直接配線１４ａにかかることを抑制することができ、これにより、配線１４ａの断線を抑制することができる。
【００３４】
以上説明したように、本実施形態のカメラ１では、レリーズボタン１２１を備えた支持体１２２が筐体１０の支持体取付ユニット１３に対して着脱自在になっていることから、この支持体１２２をこの支持体取付ユニット１３から取外すことでレリーズボタン１２１の押下操作に起因する手ブレを抑制することができ、また、パイプカバー１２３が、支持体１２２を筐体１０の支持体取付ユニット１３に固定した状態においてはストラップを兼ねていることから、支持体１２２を筐体１０の支持体取付ユニット１３に固定する際に、配線１４ａを筐体内に収容する手間を省くことができる。したがって、このカメラ１によれば、手ぶれの抑制に伴う手間を省くことができる。
【００３５】
尚、以上に説明した実施形態では、コンパクトカメラにおいてレリーズボタン１２１の押下操作によりシャッタ動作を指示する場合を例に挙げて説明したが、本発明は、デジタルカメラ、又は、カメラ付き携帯機器を例に挙げるものであってもよく、さらには、パイプカバー内で配線１４ａが蛇行していなくても本発明の基本的効果は減却されない。
【図面の簡単な説明】
【００３６】
【図１】本発明の撮影装置の一実施形態であるカメラの外観斜視図である。
【図２】撮影者によってレリーズユニットの支持体が筐体から外された様子を示す図である。
【図３】支持体および支持体取付ユニットの外観斜視図である。
【図４】パイプカバーの両端の処理を示す断面図である。
【符号の説明】
【００３７】
１  カメラ
１０  筐体
１０ａ  ネジ溝部
１２  レリーズユニット
１２１  レリーズボタン
１２２  支持体
１２２ａ  溝
１２２ｂ  切欠
１２２１ｂ、１２２２ｂ  壁
１２３  パイプカバー
１２３ａ  クッション部
１２３ｂ  ネジ部
１３  支持体取付ユニット
１３１  レバー
１３２  フレーム
１３２ａ  凸部
１４  シャッタ装置
１４ａ  配線
【図１】
2006301185.tif 000003
【図２】
2006301185.tif 000004
【図３】
2006301185.tif 000005
【図４】
2006301185.tif 000006